(57)【要約】本発明は、回転板（２）に取り付けられた回転軸（１）と、軸（１）の回転中に試料物質（６）から回転板（２）に加わるトルクを測定するための測定器（１０）とを有し、試料物質（６）を保持するための第一の測定ギャップ（５）が、回転板（２）の第一の側面（３）と第一の剪断面（４）との間に形成され、試料物質（６）を保持するための第二の測定ギャップ（９）が、回転板（２）の第一の側面とは反対の第二の側面（７）と第二の剪断面（８）との間に形成されてあり、該レオメーターが、第一及び第二の測定ギャップ（５、９）中に磁場を発生させるための磁石を含むことを特徴とするレオメーターに関する。【選択図】なし
2010501838.tif 000002
【特許請求の範囲】
【請求項１】
回転板（２）が取り付けられた回転軸（１）と、軸（１）の回転中に試料物質（６）により回転板（２）に加えられるトルクを測定するための測定器（１０）とを有するレオメーターであって、
試料物質（６）を保持するための第一の測定ギャップ（５）が、回転板（２）の第一の側面（３）と第一の剪断面（４）との間に形成され、試料物質（６）を保持するための第二の測定ギャップ（９）が、回転板（２）の第一の側面とは反対の第二の側面（７）と第二の剪断面（８）との間に形成され、且つ、
レオメーターが、第一及び第二の測定ギャップ（５、９）中に磁場を発生させるための磁石を有することを特徴とするレオメーター。
【請求項２】
前記磁石が電磁石であることを特徴とする請求項１に記載のレオメーター。
【請求項３】
前記回転板（２）が、少なくとも部分的に磁化可能な材料からなることを特徴とする請求項１又は２に記載のレオメーター。
【請求項４】
前記磁石が、コイル（１９）と、第一の測定ギャップ（５）の上部に取り付けられた第一のマグネットヨーク（１７）と、第二の測定ギャップ（９）の下部に取り付けられた第二のマグネットヨーク（１８）とを有する電磁石であり、
第一と第二のマグネットヨーク（１７、１８）が、回転板（２）及び軸（１）に対して対称に設計されていることを特徴とする請求項１〜３のいずれか一項に記載のレオメーター。
【請求項５】
前記第一及び第二の剪断面（４、８）が、それぞれ第１又は第２の測定ギャップ（５、９）に隣接する第一及び第二の板（１１、１２）によりそれぞれ形成されているか、それぞれ第１又は第２の測定ギャップ（５、９）に隣接する磁石表面により形成されていることを特徴とする請求項１〜４のいずれか一項に記載のレオメーター。
【請求項６】
ホールプローブまたは温度センサーからなる群から選ばれる少なくとも一種の測定用センサーを保持するための少なくとも一種の導管（１３）を、測定ギャップ（５、９）に隣接する部材中に有することを特徴とする請求項１〜５のいずれか一項に記載のレオメーター。
【請求項７】
前記第一と第二の測定ギャップ（５、９）が、外側を区切部材（１４）により閉鎖されていることを特徴とする請求項１〜６のいずれか一項に記載のレオメーター。
【請求項８】
前記回転板（２）が、二枚の平面、一枚の平面、及び一枚の円錐面又は二枚の円錐面を有することを特徴とする請求項１〜７のいずれか一項に記載のレオメーター。
【請求項９】
軸に取り付けた回転板を回転させる工程、
回転板を、第一の側面において第一の測定ギャップ中に収められた測定されるべき磁性流体、及び第一側面とは反対の第二の側面において第二の測定ギャップに収められた測定されるべき磁性流体と接触させる工程、
第一及び第二の測定ギャップ中で磁場を発生させる工程、及び
回転板の回転中に磁性流体から回転板に加わるトルクを測定する工程、を有することを特徴とする磁性流体の流動学的性質を測定する方法。
【請求項１０】
請求項１〜８のいずれか一項に記載のレオメーターを、磁性流体、分散体、ポリマーの溶融物若しくは溶液、又は粉体の計量特性解析に使用する方法。
【発明の詳細な説明】
【技術分野】
【０００１】
本発明は、回転軸に取り付けられた回転板を有するレオメーター、及びレオメーターを用いた試料物質の流動学的性質を測定する方法に関する。
【背景技術】
【０００２】
レオロジー（流動学）は、流動過程を取り扱う科学であり、外力の影響下での材料の変形の進行を取り扱う科学である。流動の場合における変形（粘性変形）は、ある一定の速度で進行する。実際の材料では、粘性的な挙動以外に可塑的な挙動や弾性的な挙動が加わる。従来技術では、流動学的な量を測定するのに、いろいろなレオメーターが使用されている。回転レオメーターと、キャピラリーレオメーター、伸長型レオメーター、収縮型レオメーターを区別する必要がある。
【０００３】
試験室では、回転レオメーターが最も広く使用されている。この場合、通常、三種の幾何的配置の異なる測定システムが使用される。これらの異なる測定システムは、円錐／板測定システム、板／板測定システム、円柱測定システムである。
【０００４】
特許文献１は、円柱測定システムの回転粘度計に関するものであり、このシステムでは、試料物質の入った円筒状試験ビーカー中で、測定用の円柱が回転する。測定用円柱と試験ビーカー間の隙間に満たされた試料が測定用円柱に及ぼす力を測定し評価する。
【０００５】
特許文献２〜６は、板−板測定システムまたは円錐−板測定システムに関するものであり、これらのシステムでは、相互に平行に設置された二枚の板の間に試料を入れ、一方の板を回転させて試料に剪断力をかける。
【０００６】
従来技術にある、二個の相互に回転する測定面を持つ板−円錐または板−板系の回転レオメーターは、通常、板を据え付ける台または枠を有している。モーターで駆動される回転軸が測定用回転板を保持しており、回転板がモーターにより軸を介して回転させられる。試料物質から軸にかかるトルクや回転板にかかるモーメントを測定する測定装置が取り付けられ、例えばモーター（電気モーター）の消費電力を測定して間接的にこれらを測定する装置が取り付けられる。この測定器は、軸の回転位置や回転速度（例えば、角度エンコーダにより）を測定してもよい。架台にはガイドベアリングが取り付けられ、例えば、エアベアリング、磁気ベアリング、または他の低摩擦ベアリングが用いられる。ベアベアリングの場合、垂直力による軸の荷重があっても、エアクッションが、ばね様にこの荷重に対抗する。例えば加熱等による試料物質の膨張により、垂直力が引き起こされ、これが回転板に作用し、ひいては軸に作用する。しかしながら、従来技術にあるレオメーターでは、ベアリング、例えばエアベアリングの構成によっては、許容できる垂直力には上限があり、その結果、そのレオメーターの測定範囲が制限を受ける。
【先行技術文献】
【特許文献】
【０００７】
【特許文献１】ＤＥ１９９１１４４１Ａ１
【特許文献２】ＤＥ３４２３８７３Ａ１
【特許文献３】ＡＴ４０４１９２Ｂ
【特許文献４】ＡＴ４０９３０４Ｂ
【特許文献５】ＡＴ４０９４２２Ｂ
【特許文献６】ＡＴ５００３５８Ａ１
【発明の概要】
【発明が解決しようとする課題】
【０００８】
本発明の目的は、従来技術の欠点を克服し、特に試料物質の流動学的性質を測定するレオメーター及び方法を提供して、測定可能な範囲を拡大することにある。
【課題を解決するための手段】
【０００９】
本発明の目的は、回転板が取り付けられた回転軸と、軸の回転中に試料物質により回転板に加わるトルクを測定するための測定器とを有し、試料物質を保持するための第一の測定ギャップが、回転板の第一の側面と第一の剪断面との間に形成され、試料物質を保持するための第二の測定ギャップが、回転板の第一の側面とは反対の第二の側面と第二の剪断面との間に形成され、且つレオメーターが、第一及び第二の測定ギャップ中に磁場を発生させるための磁石を有することを特徴とする本発明のレオメーターにより達成される。
【図面の簡単な説明】
【００１０】
【図１】二重測定ギャップを有する本発明のレオメーターの一例を示す概略断面図である。
【発明を実施するための形態】
【００１１】
レオメーターとは、試料物質の流動学的性質、特に試料物質の粘性を測定する装置である。本発明のレオメーターは、板−板系及び／又は円錐−板系のものと同様に作動する回転レオメーターである。回転板は回転軸に取り付けられて、モーターにより、例えば試験室攪拌器により駆動される。
【００１２】
試料物質の流動学的性質を測定するには、本発明のレオメーターは、少なくとも一種の測定器、特に軸が回転している回転板に試料物質から加わるトルクを測定する装置を有している。試料物質（特に試料液体）の流動学的性質を測定するには、一定の回転速度で軸を回転させ、このために必要なトルクを測定することができる。しかし、モーターを用いて軸に一定のトルクをかけ、回転板に加わるトルクの結果として得られる回転速度または回転位置を測定することもできる。さらに、この軸が、正弦波的な回転運動または他の波形での回転運動（オシレーション実験）をしてもよく、その場合には、試料物質の粘性部材以外に弾性成分の測定も可能となる。いずれの場合も、回転板の運動中に試料物質が回転板に及ぼすトルクが、（場合によれば間接的に）測定器で促成される。
【００１３】
測定中、この回転板は両側で試料物質に接触している。この物質は二つの測定ギャップ内に収められ、これらのギャップはそれぞれ、回転子板の片面と固定の剪断面とにより囲まれている。これらの測定ギャップは実質的に対称に設計され及び／又はこれら両方の測定ギャップが同じ高さを持っていることが好ましい。なお、この高さは、回転板の表面とそれぞれの剪断面との間の距離により決まる。
【００１４】
本発明は、また、試料物質の、好ましくは磁性流体の流動学的性質を測定する方法に関する。この方法では、軸に取り付けた回転板を回転させ、回転板を、第一の側面において、第一の測定ギャップ中に収められた試料の磁性流体と接触させ、第一側面とは異なる第二の側面において第二の測定ギャップに収められた試料の磁性流体と接触させる。この方法は、さらに、第一及び第二の測定ギャップ中で磁場を発生させて、回転板の回転中に磁性流体から回転板に加わるトルクを測定することを含んでいる。
【００１５】
本発明のレオメーターのダブルギャップ測定装置および本発明の方法は、回転板に加わる垂直力の補正、特に磁場中において異方性のために磁性流体から加わる垂直力の補正が可能であり、単一ギャップの場合のようにレオメーターの測定範囲を制限する必要がなくなるという利点を有している。本発明のレオメーターでは、回転板が正しく据え付けられているかどうかを、ダブルギャップ配列でレオメーターの軸にかかる垂直力を測定し、垂直力が（実質的に）補償されるようにすることによりチェックすることができる。
【００１６】
本発明のレオメーター、または本発明の方法で使用するレオメーターは、さらに第一および第二の測定ギャップ中で剪断面に垂直に伸びる磁場を作るための少なくとも一つの磁石を有している。この装置は、特に磁性流体の流動学的性質を測定するのに用いられる。
【００１７】
磁性流体（略語：ＭＲＦ）とは、一般的に、磁場の効果により流動学的性質を変える液体をいう。これらは、通常、担持用の液体（しばしば、基油とよばれる）中に分散された強磁性や、超常磁性、常磁性粒子の懸濁液である。
【００１８】
このような懸濁液を磁場に曝すとその流動抵抗が増加する。これは、磁化性粒子、例えば鉄粉の分散物が、磁気的相互作用のために磁力線に平行に鎖状構造を形成するためである。ＭＲＦの変形の際にこれらの構造の一部が破壊されるが、これらは再生する。磁場中での磁性流体の流動学的性質は、降伏点を持つ塑性体の性質に似ている。すなわち、磁性流体を流動させるには少なくとも、最小の剪断応力をかける必要がある。
【００１９】
磁性流体は非ニュートン流体に属す。その粘性は、加わる剪断速度に大きく影響を受ける。磁場をかけた後の可逆的な粘性変化は、数ミリ秒以内に起こる。
【００２０】
磁性流体の流動学的な挙動は、おおむねビンガムモデルで記述され、磁場強度が上昇するとその降伏点が上昇する。例えば１テスラ未満の磁束により、数万Ｎ／ｍ2の剪断応力が達成可能である。磁性流体を、緩衝材や、クラッチ、ブレーキ、他のコントロール装置（例えばハプチック（触覚）装置、クラッシュ吸収器、ワイヤ法ステアリング・ガイド・システム、ワイヤ法ギアー及びブレーキ・システム、シール、保持システム、補綴具、嵌合装置または軸受）などの装置で使用するには、大きな伝達可能な剪断応力が必要となる。
【００２１】
磁性流体の既知の用途が、例えばＵＳ５，５４７，０４９や、ＥＰ１０１６８０６Ｂ１、ＥＰ１０２５３７３Ｂ１に記載されている。したがって、磁石を有する本発明のレオメーターは、測定中に測定ギャップ中に磁場を発生させる段階を有する本発明の方法と同様に、磁性流体の流動学的性質を測定するのに使用できる。測定ギャップが一つである回転レオメーターを用いて磁性流体を調べると、その磁性流体は、その異方性のために、磁場において長手方向（レオメーターの軸に平行）に垂直力を発生させる。このため、本発明の二重ギャップ配列は、特に磁性流体の流動学的性質を測定するのに有利である。これは、回転板の両側に設けられた磁性流体で満たされた測定ギャップにより、垂直力補正が行われるためである。
【００２２】
磁性流体の流動学的性質を測定するためには、両測定ギャップに対称的で均一な磁場を発生させることが好ましい。このような対称的な磁場は、レオメーターの回転軸を対称軸として、また回転板を対称面として対称であることが好ましい。
【００２３】
本発明の好ましい実施様態においては、磁石がコイル状の電磁石であり、第一のマグネットヨークが第一の測定ギャップの上に、第二のマグネットヨークが第二の測定ギャップの下に取り付けられ、第一と第二のマグネットヨークが、回転板と回転軸に対して対称となるように設計されているものである。上下のマグネットヨークをダブルギャップの回転板に対して対称的な構造とすることで、ギャップの高さや試料の磁性流体の性質に変動があっても、両方の測定ギャップ中に均一な磁束を形成することが可能となる。しかし、本発明で永久磁石を用いることもできる。
【００２４】
本発明のある好ましい実施様態においては、この回転板が、少なくとも部分的に磁化性である材料でできている。非磁化性材料でできた軸に取り付けられた磁化性の回転板（例えば、材料番号が１．００３７のスチール製）は、測定ギャップ中の磁束を大きく増幅するとともに、測定中のギャップ上にかかる磁場の径方向の均一性を向上させる。しかし、本発明のレオメーターに、非磁化性材料でできた回転板を用いることもできる。
【００２５】
測定ギャップ近傍の二枚の剪断面は、それぞれ好ましくは、第１または第２の測定ギャップ近傍の第一と第二の板により形成されるか、第１または第２の測定ギャップ近傍の磁石（例えばマグネットヨーク）の表面により形成される。
【００２６】
本発明のレオメーターにおいて、ホールプローブまたは温度センサーからなる群から選ばれる少なくとも一つの測定用センサーを保持するための少なくとも一本の導管が、測定ギャップ隣の部材に設けられる。ホールプローブを用いることで、測定ギャップ中の磁束密度がオンラインで効果的に測定できるようになる。例えば、ホールプローブは、測定ギャップのうちの一つの上または下の非磁性板の内部に設けられた平坦な導管内に取り付けられる。測定ギャップ中で試料物質に剪断力をかけながらホールプローブを用いて測定し、剪断による物質の磁化変化を記録することも可能である。導管内でのホールプローブの径方向（回転軸に垂直）の位置を変えることで、径方向の磁束密度の変化を測定することが可能となる。
【００２７】
ギャップの一つにできる限り近く設けた温度センサー、特に熱電対を使用することで、測定ギャップ内の試料物質の温度をオンライン測定することが可能となる。例えば、温度センサーを、一つの測定ギャップの上または下の伝熱板の内部にある平坦な導管内に取り付ける。測定ギャップ内の試料物質に剪断力をかけながら温度センサーを用いて測定して、剪断中の物質の温度変化を記録することも可能であり、また、必要ならこの目的のために、温度コントローラーを用いて温度を制御してもよい。
【００２８】
例えば、測定ギャップ内に磁場を形成するのに用いられる上下のマグネットヨークの中央部で、（液体）温度コントロールを行ってもよい。高エネルギー（高トルク／高回転速度）を投入しても両測定ギャップ内の温度ができる限り一定に保つためには、この温度コントローラを、できる限り測定ギャップに直接、接触させる必要がある。もう一つの実施様態においては、回転板を備えたハウジングと二つの測定ギャップと少なくとも軸の一部、及び必要に応じて磁石を備えたレオメーターの測定セルの全体が、測定中及び／又は剪断中に、温度制御された液体中に浸漬するようにして、この温度コントローラが設置される。
【００２９】
本発明の好ましい実施様態においては、第一と第二の測定ギャップの外側が、区切部材により閉鎖されている。この利点は、回転中に回転板の遠心力のために試料物質が径方向に測定ギャップから飛び出すのを防止できることである。この区切部材は、単一の部材であっても、複数の部材からなるものであってもよい。回転板の周辺に、（回転を妨げることなく）密接して設けてもよく、両方の測定ギャップ中において試料物質が回転板の側面に接触するように、回転板の周辺から一定の距離を置いて設けてもよい。この区切部材が、例えば円型の回転板を同心円状に取り囲む環状のスリーブであってもよい。測定ギャップ中の試料物質の体積が変動することもあるため、この物質が退避可能な退避室を、（例えば軸に沿って）設けることが好ましい。
【００３０】
本発明のレオメーターの回転板は、円形状であり、半径が好ましくは３ｍｍ〜１０ｃｍの範囲、特に好ましくは５ｍｍ〜２５ｍｍの範囲となるように設計するのが好ましい。この回転板は、両面が平面状、一面が平面で他面が円錐状、または両面が円錐状の表面をもつことが好ましい。本発明のレオメーターは、また、二枚の平面、一枚の平面と一枚の円錐、または二枚の円錐面からなる二枚の剪断面を有している。
【００３１】
二枚の平面状回転板の表面は、レオメーターの二枚の平坦な剪断面とともに、
二重の板−板配列を形成する。この板−板系においては、測定ギャップ中の相互に平行に並んだ回転板表面と剪断面の間で、試料物質に剪断力が加わる。この場合、剪断速度は、個々の測定ギャップ内において同一ではない。剪断速度は半径とともに増加し、回転板の外縁で最大となる。
【００３２】
二枚の円錐ロータ表面とレオメーターの二枚の平坦な剪断面とで、あるいは二枚の平坦な回転板の表面とレオメーターの二枚の円錐状の剪断面とで、二重の円錐−板配列が形成される。この円錐−板システムにおいては、いずれの場合も、それぞれの円錐（回転板の表面）が板（剪断面）の上で回転する。試料物質はこれらの間の測定ギャップ中に存在する。周辺速度は、円錐表面の外側に向けで増加する。同時に、円錐状のためギャップの高さも増加する。この結果、剪断速度は径方向に一定となる。したがって、本発明においては、この二重円錐配列により二つの測定ギャップ内の剪断速度を一定にすることができる。
【００３３】
本発明においては、二つの測定ギャップの高さは、好ましくはそれぞれ０．１〜１ｍｍの範囲であり、特に好ましくはそれぞれ０．２〜０．４ｍｍの範囲にある。この本発明のレオメーターの測定ギャップの高さは、特定の回転板厚を選択することで調整できる。したがって、本発明のレオメーターではこの回転板が交換可能であることが好ましい。ギャップ高が小さいと到達可能な最高剪断速度が増加する。
【００３４】
本発明の方法は、本発明のレオメーターを用いて実施できる。本発明の方法の好ましい実施様態においては、軸に対するトルクの分布または回転速度の分布は、回転板の回転中にまたそれにより精製する剪断中に連続的に測定される。他の実施様態においては、もっぱら試料物質の均一化、調整、連続供給に回転板の回転を用いる相と、回転板の運動（例えば回転または振動）の間にトルクまたは回転速度の測定を行う相とが交互に形成される。
【００３５】
本発明の方法は、磁場をかけずに実施してもよく、また測定ギャップ中で磁場（好ましくは、均一で対称的な磁場）を発生させる工程を有していてもよい。
【００３６】
本発明のある好ましい実施様態においては、本発明の方法及び／又は本発明のレオメーターが、ある磁性流体の特定用途への適性、特にＭＲＦクラッチ中での使用への適性を調べるのに使用される。本発明は特に、本発明のレオメーターの磁性流体、分散体、溶融ポリマー、溶液の測定評価への利用に関する。本発明の二重ギャップ測定装置は、磁性流体以外に、例えば、粘弾性のポリマー溶融物（ポリスチレン、ポリアミド、ポリブチレンテレフタレート、ポリオキシメチレン、ポリエチレン、ポリプロピレン、ポリイソブチレン、ポリジメチルシロキサン等）や、ポリマー溶液や分散体、特にポリマー分散体（スチレン分散体、アクリレートコポリマー分散体等）または懸濁液の高剪断速度測定に使用できる。例えば、本発明のレオメーターまたは方法を用いて、試料物質を０．０１〜１０4１／ｓの範囲の剪断速度で剪断してもよい。例えば、０．０１〜２００ｋＰａの剪断応力がかけられる。区切部材を用いて測定ギャップの端面を閉じることで、従来の単一ギャップ法の開放端で起こるような材料の破損現象を避けることができる。また、これにより、試料物質が高遠心力により測定ギャップから振り飛ばされるを防ぐことができる。熱可塑性樹脂の測定のために、測定ギャップに試料の熱可塑性樹脂の円板及び／又は輪を入れてもよい。これらの測定ギャップには、例えば、廃棄用の導管を開放として、この目的のための充填用導管を経由して磁性流体、溶液または分散液を投入してもよい。次いで、試料物質の流動学的な測定を行うために、両方の導管を閉じる。
【００３７】
液体の測定以外に、粉末の測定も可能である。したがって、例えば磁性粉クラッチに用いられる材料の測定ができる。好適な材料はカーボニル鉄粉末である。
【実施例】
【００３８】
アントンパール社、オーストリアから市販されているフィジカＭＲＤ１８０（１Ｔ）測定装置を改造し、アントンパール社ＭＣＲ５０１レオメーター（最大トルク：０．３Ｎｍ）中で使用した。二枚の異なる回転板を使用した。一枚の回転板の半径は８ｍｍであり、他方の半径は９．７ｍｍであった。このため、直径が２０ｍｍの区切部材を併用して、それぞれ２ｍｍと０．３ｍｍの環状のギャップを形成した。半径が９．７ｍｍの大きな回転板を用いた測定の間にレオメーターのトルク極限値が満たされる場合には、半径が８ｍｍの回転板を用いた。二つの測定ギャップのそれぞれのギャップ高さが０．３ｍｍの場合、モーター回転速度の増加により０．０１〜１０，０００１／ｓの範囲の剪断速度がカバーでき、３Ｐａ〜１５０，０００Ｐａの剪断応力が測定できた。
【００３９】
本発明の測定装置を用いて可能な最高回転速度の３，０００ｒｐｍで、１０，０００１／ｓの剪断速度が達成可能であった。モーター回転速度が２，０５５ｒｐｍ、回転板の半径が９．７ｍｍ、測定ギャップの高さが０．３ｍｍでは、７０００１／ｓの剪断速度が達成された。スチール（材料番号１．００３７）製の磁化性回転板を用いると、試料（磁性流体）の磁束は、０Ｔ〜１．４Ｔであった。測定は、−２５℃〜１００℃の温度範囲で行った。したがって、この本発明のレオメーターは、垂直力をエアベアリング（６０Ｎ）の許容範囲内に収めた上で、高剪断速度と高磁束の磁場が達成可能であるという利点を有している。この測定範囲は、従来技術のレオメーターではカバーできない。
【００４０】
図面
以下に、図面を参照しながら本発明を詳細に説明する。
図１は、二重測定ギャップを有する本発明のレオメーターの一例を示す概略断面図である。
【００４１】
このレオメーターは、非磁化性材料（例えばオーステナイト系ステンレス鋼、例えば材料番号１．４５７１）製の回転軸１を有している。この回転軸１は、軸１を駆動させるモーター（図示せず）につながっている。これは、好ましくはエアベアリング（図示せず）を用いて取り付けられている。磁化性材料（例えばスチール、例えば材料番号１．００３７）製の回転板２が、軸１の末端に取り付けられている。試料物質６（例えば、磁性流体）が入った図１中の第一の測定ギャップ５が、回転板２の上面（第一の側面３）と第一の剪断面４との間に収められている。対象の物質６の入った第二の測定ギャップ９が、回転板２の下面（第二の側面７）と第二の剪断面８との間に収められている。
【００４２】
このレオメーターは、さらに、モーターの回転速度とトルクを測定する測定器１０、したがって特に軸１の回転中に試料物質６から回転板に加えられるトルク２を間接的に記録する測定器１０を有している。
【００４３】
第一と第二の剪断面４、８は、それぞれ第一の測定ギャップ５に隣接する第一の板１１と第二の測定ギャップ９に隣接する第二の板１２により形成されている。例えば材料または表面構造の伝達可能な剪断応力に与える影響を試験するために、板１１と板１２とを交換してもよい。例えばホールプローブまたは熱電対を収める導管１３が、第二の板１２中に形成されている。これらの二枚の板１１、１２は、さらに他の導管（図示せず）を有していてもよい。
【００４４】
この実施様態においては、回転板２は、二面３、７上に平坦な表面を有している。したがってこの装置は、二重板−板装置である。
【００４５】
二個の測定ギャップ５、９は、外側を、スリーブ状で共通の区切部材１４により閉鎖されている。試料物質が一つの測定ギャップ５または９から他方に移行可能な移行領域１５が、
区切部材１４に沿って形成されている。体積が増加すると物質６が逃げることができるように、軸１の周囲に開放退避領域１６が形成されている。
【００４６】
このレオメーターは、さらに第一及び第二の測定ギャップ中に磁場を形成する磁石を有している。この磁石は、上部の第一マグネットヨーク１７と、下部の第二マグネットヨーク１８と、コイル１９を有している。第一と第二のマグネットヨーク１７、１８は、実質的に回転板２と軸１に対して対称となるように設計されている。第一マグネットヨーク１７は、二つの部分（図示せず）からなり、第二マグネットヨーク１８は一個の部分からなる。両方のマグネットヨーク１７、１８は、中央に内孔２０を有し、第一マグネットヨーク１７の場合は、軸１がそこに挿入される。これら二個のマグネットヨーク１７、１８は、線２１に沿って組み立てられている。第一のマグネットヨーク１７は通路２２を有しており、ここを通して、例えば、ホールプローブが導管１３まで、または熱電対が外部からマグネットヨークの内部に供給できるようになっている。
【００４７】
試料物質の流動学的性質を測定する本発明の方法は、図１に表される本発明のレオメーターを用いて実施される。
【符号の説明】
【００４８】
１    回転軸
２    回転板
３    第一の側面
４    第一の剪断面
５    第一の測定ギャップ
６    試料物質
７    第二の側面
８    第二の剪断面
９    第二の測定ギャップ
１０  測定器
１１  第一の板
１２  第二の板
１３  導管
１４  区切部材
１５  移行領域
１６  退避領域
１７  第一のマグネットヨーク
１８  第二のマグネットヨーク
１９  コイル
２０  中央の内孔
２１  マグネットヨークの境界線
２２  通路
【図１】
2010501838.tif 000003
【国際調査報告】
2010501838.tif 000004
2010501838.tif 000005
2010501838.tif 000006
2010501838.tif 000007
2010501838.tif 000008
2010501838.tif 000009